(57)【特許請求の範囲】
【請求項１】
コーターロールを経て下流側へ走行する原紙の表面に、上方の給液ヘッドからカーテン状に流下された塗工液を塗布して塗工するようにしてある塗工装置において、上記原紙への塗工液の塗工位置の上流側に、該塗工位置に先端が位置するようにエア遮断板を配置し、該エア遮断板の上流側にエア吸引ヘッダーを設置して、該エア吸引ヘッダーに接続されたエア吸引ノズルの先端を、上記エア遮断板の後端に近接して位置させて、該エア遮断板で遮断されたエアをエア吸引ノズルで吸引除去させるようにし、更に、前端にエア遮断板の後端を接続して該エア遮断板を保持するようにしたエア遮断板の保持部材を、エア吸引ノズルの上方で原紙の走行方向の上流側となる後方へ延在するように配置して、該保持部材の後端を、紙幅方向に水平に配した回転軸に接続して、エア遮断板が保持部材を介して回転軸を中心に上下方向へ傾動できるようにし、且つ上記回転軸に設けたレバーとその上方にある固定の部材との間にばね部材を介在させて、該ばね部材、保持部材を介し原紙に対するエア遮断板先端の接触圧を調整できるようにした構成を有することを特徴とする塗工装置。
【請求項２】
エア遮断板の保持部材の前端部下面とエア吸引ノズルの先端部上面との間に、該保持部材とエア吸引ノズルとの間の隙間を閉塞するように閉塞部材を介在させた請求項１記載の塗工装置。
【請求項３】
閉塞部材を弾性板とし、該弾性板とした閉塞部材の一端を保持部材の前端部下面又はエア吸引ノズルの先端部上面に取り付けて、該閉塞部材の他端をエア吸引ノズルの先端部上面又は保持部材の前端部下面に弾性的に圧接させるようにした請求項２記載の塗工装置。
【請求項４】
コーターロールを経て下流側へ走行する原紙の表面に、上方の給液ヘッドからカーテン状に流下された塗工液を塗布して塗工するようにしてある塗工装置において、上記原紙への塗工液の塗工位置の上流側に、該塗工位置に先端が位置するようにエア遮断板を配置し、且つ該エア遮断板の上流側にエア吸引ヘッダーを設置して、該エア吸引ヘッダーに接続されたエア吸引ノズルの先端を、上記エア遮断板の後端に近接して位置させて、該エア遮断板で遮断されたエアをエア吸引ノズルで吸引除去させるようにし、上記エア遮断板の後端部を、エア吸引ノズルの先端部上縁に上下方向へ回動自在に接続させた構成を有することを特徴とする塗工装置。
【請求項５】
エア遮断板の後端部を、エア吸引ノズルの先端部上縁に、ヒンジにより上下方向へ回動自在に接続させ、エア遮断板をヒンジを支点として上下方向へ傾動自在となるようにした請求項４記載の塗工装置。
【発明の詳細な説明】
【０００１】
【発明の属する技術分野】
本発明は製紙工場において製造された原紙に塗工液を塗布する塗工装置に関するものである。
【０００２】
【従来の技術】
製紙工場で製造された紙はそのままの形で直ちに使用されることはなく、それを原紙として更に加工を施すことにより所要の目的に適合する製品としての加工紙とする場合が多い。加工紙には種々のものがあるが、その一つに、塗被加工紙がある。塗被加工紙は、紙の表面の性質を改善する目的で紙の表面に塗工液を塗布させて製造するもので、その装置として塗工装置がある。
【０００３】
塗工装置の一つとして、塗工液をカーテン状に流下させて原紙表面に塗布させるいわゆるカーテンコータが知られているが、このカーテンコータは、図３にその一例を示す如く、コーターロール１に巻回されて該コーターロール１より下流側へ走行する原紙２の表面に、給液ヘッド３より塗工液４を一様な薄膜カーテン状に流下させて塗布させることにより塗工するようにし、給液ヘッド３と原紙２との間の位置で塗工液４の流下方向と直交する前後方向へシャッターパン５を移動可能に配し、この塗工液４の原紙２への供給、停止を、該シャッターパン５を後退させて塗工液４の流下位置から退避するＯＮ作動と、シャッターパン５を前進させて塗工液４の流下位置を遮るようにするＯＦＦ作動によって行うようにしてある。すなわち、上記塗工液４は塗被加工に適した粘度と流動性を有するため、塗工停止時はシャッターパン５が給液ヘッド３の下方に位置するＯＦＦ位置にあって、流下させられる塗工液４を該シャッターパン５の端より流出させて回収するようにしており、塗工開始時にはシャッターパン５を水平方向に後退させてＯＮ作動させるようにしている。
【０００４】
一方、近年、上記塗工装置による原紙２表面への塗工液４の塗布作業は、高速化してきているが、原紙２が高速で走行させられると、この原紙２の走行に引かれて運ばれてくる（連れ回りさせられる）エアが塗工位置に送り込まれることにより塗工液４のカーテンに乱れを生じさせる結果、塗工に悪影響を及ぼすという問題があるので、原紙２により連れ回りさせられるエアを、塗工位置の上流側で除去し、給液ヘッド３と原紙２との間にエアが入り込まないようにする手段として、先端が塗工位置の上流側に位置して原紙２の表面に接するようにエア遮断板６をスクレーパ状に傾斜配置する方式が提案されている。なお、７は塗工時に原紙２の幅端から流下した塗工液４を回収するためのカラーパンを示す。
【０００５】
【発明が解決しようとする課題】
ところが、上記のように、エア遮断板６を原紙２の表面に傾斜配置しても、該エア遮断板６で遮断された連れ回りエアが紙幅方向へ流出するため、このエアの一部が塗工位置に回り込んで塗工液４のカーテンに影響を与える問題がある。又、上記エア遮断板６は、先端は原紙２の表面に接触しているので、掻き取られた紙粉が先端部に堆積してしまうという問題もある。
【０００６】
そこで、本発明は、エア遮断板で遮断したエアが紙幅方向へ流出しないようにすると共に、エア遮断板の先端部に紙粉が堆積することがないようにしようとするものである。
【０００７】
【課題を解決するための手段】
本発明は、上記課題を解決するために、コーターロールを経て下流側へ走行する原紙の表面に、上方の給液ヘッドからカーテン状に流下された塗工液を塗布して塗工するようにしてある塗工装置において、上記原紙への塗工液の塗工位置の上流側に、該塗工位置に先端が位置するようにエア遮断板を配置し、該エア遮断板の上流側にエア吸引ヘッダーを設置して、該エア吸引ヘッダーに接続されたエア吸引ノズルの先端を、上記エア遮断板の後端に近接して位置させて、該エア遮断板で遮断されたエアをエア吸引ノズルで吸引除去させるようにし、更に、前端にエア遮断板の後端を接続して該エア遮断板を保持するようにしたエア遮断板の保持部材を、エア吸引ノズルの上方で原紙の走行方向の上流側となる後方へ延在するように配置して、該保持部材の後端を、紙幅方向に水平に配した回転軸に接続して、エア遮断板が保持部材を介して回転軸を中心に上下方向へ傾動できるようにし、且つ上記回転軸に設けたレバーとその上方にある固定の部材との間にばね部材を介在させて、該ばね部材、保持部材を介し原紙に対するエア遮断板先端の接触圧を調整できるようにした構成とする。
【０００８】
原紙の走行により連れ回りさせられたエアはエア遮断板にて遮断され、更に、エア吸引ノズルにて吸引除去されるので、紙幅方向への流出が防止される。この際、エア遮断板の先端で掻き取られた紙粉もエア吸引ノズルによって同時に吸引されるので、エア遮断板の先端部で紙粉が堆積してしまうことがなくなる。エア遮断板は保持部材を介し回転軸を中心に上下方向に傾動自在となり、且つばね部材の作用で原紙に対する接触圧が一定になっているので、原紙が上下に変動しても、エア遮断板の原紙への接触性を維持することができる。
【０００９】
又、エア遮断板の保持部材の前端部下面とエア吸引ノズルの先端部上面との間に、該保持部材とエア吸引ノズルとの間の隙間を閉塞するように閉塞部材を介在させた構成とすることにより、保持部材とエア吸引ノズルとの間の隙間からのエアの侵入が防止されるので、エア吸引ノズルによる吸引能力を確実なものとすることができるようになり、更に、閉塞部材を弾性板とし、該弾性板とした閉塞部材の一端を保持部材の前端部下面又はエア吸引ノズルの先端部上面に取り付けて、該閉塞部材の他端をエア吸引ノズルの先端部上面又は保持部材の前端部下面に弾性的に圧接させるようにした構成とすることにより、保持部材が傾動変位しても、その変位が弾性板によって吸収されるので、閉塞部材としての機能が常時確保される。
【００１０】
一方、エア遮断板を保持部材に保持させることに代えて、エア遮断板の後端部を、エア吸引ノズルの先端部上縁に上下方向へ回動自在に接続した構成とすることにより、エア遮断板をエア吸引ノズルに保持させることができると共に、エア遮断板とエア吸引ノズルとが一体連続配置となることから、エア吸引ノズルの吸引力を有効に働かせることができるようになり、更に、エア遮断板の後端部を、エア吸引ノズルの先端部上縁に、ヒンジにより上下方向へ回動自在に接続させ、エア遮断板をヒンジを支点として上下方向へ傾動自在となるようにした構成とすることにより、原紙の上下方向の変動に対してエア遮断板自体が追従変位できるようになる。
【００１１】
【発明の実施の形態】
以下、本発明の実施の形態を図面を参照して説明する。
【００１２】
図１は本発明の実施の一形態を示すもので、図３に示したと同様に、コーターロール１に巻回されて下流側へ走行させられる原紙２の表面に、上方の給液ヘッド３からカーテン状に流下された塗工液４を塗布して塗工するようにすると共に、給液ヘッド３と原紙２との間の位置で塗工液４の原紙２への供給、停止をシャッターパン５の前進、後退で行わせるようにしてある塗工装置において、上記原紙２への塗工液４の塗工位置の上流側に先端が近接して位置するようにエア遮断板６をスクレーパ状に傾斜配置し、且つ上記エア遮断板６の上流側位置となる上記コーターロール１の外側後方部にエア吸引ヘッダー８を設置して、該エア吸引ヘッダー８に接続されて紙幅方向に対応するように配置されたエア吸引ノズル９の先端を、上記エア遮断板６に近接位置させる。
【００１３】
又、上記エア遮断板６の保持部材１０を、上記エア吸引ノズル９の上方で原紙走行方向の上流側となる後方へ延在するように配置してその前端にエア遮断板６を接続し、且つ該保持部材１０の後端を、紙幅方向に水平に配した回転軸１１に接続して、エア遮断板６が保持部材１０を介して回転軸１１を中心に上下方向へ傾動自在となるようにし、更に、該回転軸１１に、後方へ向けてレバー１２を張り出させ、該レバー１２と固定側（固定の部材）Ｆとの間に、原紙２に対するエア遮断板６の先端接触圧を調整させるようにするためのばね部材１３を介在させる。更に、上記保持部材１０とエア吸引ノズル９との間の隙間を閉塞するようにするために、上記保持部材１０の前端部下面に板ばねの如き弾性板からなる閉塞部材１４の一端を固設して、該閉塞部材１４の他端を、エア吸引ノズル９の先端部上面に弾性的に圧接させるようにする。
【００１４】
給液ヘッド３からカーテン状に流下させる塗工液４を原紙２の表面に塗布させて塗工を行う際、原紙２の走行に引かれて上流側のエアが連れ回りさせられてくるが、原紙２への塗工液４の塗工点となる塗工位置の上流側に配置してあるエア遮断板６にて遮断されて塗工位置への進入が防止されることになる。本発明においては、上記エア遮断板６と近接するようにエア吸引ヘッダー８のエア吸引ノズル９が配置されていることから、エア遮断板６のところまで運ばれてきて該エア遮断板６で遮断されたエアをエア吸引ノズル９で吸引除去することができて、エアの紙幅方向への流出が防止される。したがって、塗工液４のカーテンにエアによる乱れを与えることがなく、安定した塗工が可能となる。更に、上記の場合、エア遮断板６の先端で掻き取られた紙粉もエア吸引ノズル９によって同時に吸引除去できるので、エア遮断板６の先端部に紙粉が堆積してしまうことを防止することができる。
【００１５】
又、上記エア遮断板６は、保持部材１０を介して回転軸１１を中心に上下方向へ傾動自在となっており、且つ回転軸１１に後方へ向けて張り出させたレバー１２と固定の部材との間に介在されたばね部材１３の作用により原紙２に対するエア遮断板６の先端の接触圧が一定になるように調整されているので、走行する原紙２が上下方向に変動したとしても、原紙２への接触状態を維持することができる。又、上記保持部材１０の前端部下面とエア吸引ノズル９の先端部上面との間は閉塞部材１４によって閉塞されているので、保持部材１０とエア吸引ノズル９との間の隙間からエアが侵入することはなく、エア吸引ノズル９による吸引能力を確実なものとすることができる。更に、上記閉塞部材１４は、板ばねの如き弾性板製としてあって、一端が保持部材１０側に取り付けられ、他端がエア吸引ノズル９側に圧接されるように配置されているため、保持部材１０が上下に傾動変位しても、その変位を自身の有する弾性により吸収しながらエア吸引ノズル９への圧接状態を維持できるので、エア遮断板６の部分への余分なエアの侵入を確実に防止することができる。
【００１６】
次に、図２は本発明の他の実施の形態を示すもので、給液ヘッド３を、原紙２の走行方向となる前後方向へ水平移動させることにより塗工の開始、停止を行うようにした塗工装置への採用例について示す。すなわち、原紙２への塗工液４の塗工点となる塗工位置の上流側に、図１に示したと同様にエア遮断板６をスクレーパ状に傾斜配置し、一方、シャッターパン本体１６の先端部に、下端部を前方へ向けて滑かに湾曲させた導流板１７を取り付けてなるシャッターパン１５を、上記エア遮断板６の上方に重なるように配置して、上記導流板１７の下端が原紙２の表面に接するようにし、給液ヘッド３を、導流板１７の後方から前方へ移動させることにより塗工液４を導流板１７に沿わせてから原紙２に塗布させるようにしてある塗工装置において、上記エア遮断板６の上流側であるコーターロール１の外側後方部にエア吸引ヘッダー８を設置して、該エア吸引ヘッダー８のエア吸引ノズル９を、先端が上記エア遮断板６に近接するように位置させ、且つエア遮断板６の後端を、エア吸引ノズル９の先端上縁に、ヒンジ１８により上下方向へ回動自在に接続したものである。１９はシャッターパン１５を上方へ跳ね上げるための支軸を示す。
【００１７】
図２に示すようにすると、エア遮断板６とエア吸引ノズル９が一体連設配置となることから、簡単な構造で、エア吸引ノズル９の吸引力を有効に働かせることができ、しかも、原紙２の上下方向の変動に対しては、エア遮断板６自体がヒンジ１８を支点として上下方向に傾動することにより追従することができる。
【００１８】
なお、上記図２に示した実施の形態では、エア遮断板６とエア吸引ノズル９とをヒンジ１８で接続した場合を示したが、ヒンジ１８によらないでつないであればよいこと、又、シャッターパンは５と１５で示す２つの型式のものを示したが、図示し説明したシャッターパンの型式にとらわれることなく、あらゆる方式の塗工装置に適用できること、又、図１に示した閉塞部材１４の取り付けは上下逆配置であってもよいこと、その他本発明の要旨を逸脱しない範囲内において種々変更を加え得ることは勿論である。
【００１９】
【発明の効果】
以上述べた如く、本発明によれば、次の如き優れた効果を発揮する。
(1) コーターロールを経て下流側へ走行する原紙の表面に、上方の給液ヘッドからカーテン状に流下された塗工液を塗布して塗工するようにしてある塗工装置において、上記原紙への塗工液の塗工位置の上流側に、該塗工位置に先端が位置するようにエア遮断板を配置し、該エア遮断板の上流側にエア吸引ヘッダーを設置して、該エア吸引ヘッダーに接続されたエア吸引ノズルの先端を、上記エア遮断板の後端に近接して位置させて、該エア遮断板で遮断されたエアをエア吸引ノズルで吸引除去させるようにし、更に、前端にエア遮断板の後端を接続して該エア遮断板を保持するようにしたエア遮断板の保持部材を、エア吸引ノズルの上方で原紙の走行方向の上流側となる後方へ延在するように配置して、該保持部材の後端を、紙幅方向に水平に配した回転軸に接続して、エア遮断板が保持部材を介して回転軸を中心に上下方向へ傾動できるようにし、且つ上記回転軸に設けたレバーとその上方にある固定の部材との間にばね部材を介在させて、該ばね部材、保持部材を介し原紙に対するエア遮断板先端の接触圧を調整できるようにした構成としてあるので、原紙の走行により塗工位置付近まで運ばれてきたエアをエア遮断板にて遮断することができると共に、エア吸引ノズルにて吸引除去することができ、したがって、エアの紙幅方向への流出を防止することができることにより、塗工液のカーテンにエアの影響による乱れを与えることなく、塗工作業を安定して行うことができ、又、エア遮断板の先端で掻き取られた紙粉もエア吸引ノズルにより同時に吸引することができ、エア遮断板先端部に紙粉を堆積させてしまうことを防止することができ、更に、原紙が上下に変動しても、エア遮断板の原紙への接触状態を一定に維持することができる。
(2) エア遮断板の保持部材の前端部下面とエア吸引ノズルの先端部上面との間に、該保持部材とエア吸引ノズルとの間の隙間を閉塞するように閉塞部材を介在させた構成とすることにより、該保持部材とエア吸引ノズルとの間の隙間からのエアの侵入を防ぐことができ、エア吸引ノズルの吸引能力にロスを生じさせることなく確実に吸引を行うことができる。
(3) 閉塞部材を弾性板とし、該弾性板とした閉塞部材の一端を保持部材の前端部下面又はエア吸引ノズルの先端部上面に取り付けて、該閉塞部材の他端をエア吸引ノズルの先端部上面又は保持部材の前端部下面に弾性的に圧接させるようにした構成とすることにより、保持部材の変位を弾性板で吸収することができ、常時閉塞機能を確保することができる。
(4) エア遮断板を保持部材に保持させることに代えて、エア遮断板の後端部を、エア吸引ノズルの先端部上縁に上下方向へ回動自在に接続した構成とすることにより、エア遮断板とエア吸引ノズルとを一体連設配置とすることができ、簡単な構成でエア吸引ノズルの吸引力を有効に働かせることができる。
(5) エア遮断板の後端部を、エア吸引ノズルの先端部上縁にヒンジにより上下方向へ回動自在に接続させ、エア遮断板をヒンジを中心として上下方向へ傾動自在となるようにした構成とすることにより、原紙の上下方向の変動に対してエア遮断板自体を追従変位させることができて、原紙に対する接触性を容易に維持することができる。
【図面の簡単な説明】
【図１】本発明の塗工装置の実施の一形態を示す概略図である。
【図２】本発明の他の実施の形態を示す概略図である。
【図３】塗工装置の一例を示す概略図である。
【符号の説明】
１  コーターロール
２  原紙
３  給液ヘッド
４  塗工液
６  エア遮断板
８  エア吸引ヘッダー
９  エア吸引ノズル
１０  保持部材
１１  回転軸
１２  レバー
１３  ばね部材
１４  閉塞部材
１８  ヒンジ
Ｆ 固定側
【図１】
0004089001.tif 000002
【図２】
0004089001.tif 000003
【図３】
0004089001.tif 000004